【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
結合剤として適したバイオ系高分子電解質複合体（ＰＥＣ）組成物を用いた繊維系材料、織物、織布、及び不織布材料の処理方法であって、前記ＰＥＣ組成物は、カチオン性バイオポリマーと、アニオン性バイオポリマーと、酸と、防腐剤とを含み、
−前記ＰＥＣの実効電荷はカチオン性であり、
−前記アニオン性ポリマーと前記カチオン性ポリマーとの電荷比は≦１であり、
−前記カチオン性バイオポリマーはキトサンであり、前記キトサンは６６〜１００％の脱アセチル化度を有し、
−前記アニオン性バイオポリマーは、天然由来のポリアニオンであり、
−前記酸はブレンステッド酸及び／又はルイス酸であり、前記ブレンステッド酸は任意の有機酸及び／又は無機酸から選択され、前記ルイス酸は任意のカチオン性の一価又は多価原子から選択され、
−カチオン性バイオポリマーとアニオン性バイオポリマーとの重量比は、１：０．１から１：２０であり、
−前記カチオン性バイオポリマーと酸との重量比は１：０．０１から１：３０であり、
−ｐＨは７未満であり、
前記組成物は１種以上の脂肪化合物を更に含む、処理方法。
【請求項２】
繊維系材料、織物、織布、及び不織布材料に機械的特及び／又は疎水性を与える請求項１に記載の処理方法であって、
ａ．ＰＥＣ組成物で前記繊維基材、織物、織布、及び不織布材料を処理する工程であって、
ｉ．繊維系材料、織物、織布、及び不織布材料の懸濁液への添加、
ｉｉ．スプレーコーティング、
ｉｉｉ．ディップコーティング、
ｉｖ．ロールコーティング、
ｖ．含浸、
ｖｉ．パディング、
ｖｉｉ．スクリーンコーティング、
ｖｉｉｉ．印刷、
ｉｘ．ナイフコーティング、ブレードコーティング、巻線バーコーティング、丸棒コーティング、及び粉砕フォームコーティングを含む直接コーティング方法、
ｘ．マイヤーロッドコーティング、直接ロールコーティング、キスコーティング、グラビアコーティング、及びリバースロールコーティングを含む間接コーティング方法、
ｘｉ．インクジェット及び／又はスリットダイ／スロットダイ、
による工程と、
ｂ．処理した繊維系材料、織物、織布、及び不織布材料を場合により硬化させる工程と、
を含む、処理方法。
【請求項３】
前記硬化が２０℃〜２００℃で行われる、請求項２に記載の処理方法。
【請求項４】
処理した繊維系材料、織物、織布、及び不織布材料を硬化させる工程を含む、請求項２又は３に記載の処理方法。
【請求項５】
前記硬化が１２０℃〜１８０℃で行われる、請求項４に記載の処理方法。
【請求項６】
前記ＰＥＣ組成物を水で希釈する工程と、希釈した前記ＰＥＣ組成物で繊維系材料、織物、織布、及び不織布材料を処理する工程と、を含み、前記水が水道水、蒸留水、及び／又は脱イオン水から選択される、請求項１〜５のいずれか１項に記載の処理方法。
【請求項７】
ＰＥＣ：脂肪化合物の重量比が１：０．５から１：１である、請求項１〜６のいずれか１項に記載の処理方法。
【請求項８】
カチオン性バイオポリマーと、アニオン性バイオポリマーと、酸と、防腐剤とを含むバイオ系高分子電解質複合体（ＰＥＣ）組成物であって、
−前記ＰＥＣの実効電荷はカチオン性であり、
−前記アニオン性ポリマーと前記カチオン性ポリマーとの電荷比は≦１であり、
−前記カチオン性バイオポリマーはキトサンであり、前記キトサンは６６〜１００％の脱アセチル化度を有し、
−前記アニオン性バイオポリマーは、天然由来のポリアニオンであり、
−前記酸はブレンステッド酸及び／又はルイス酸であり、前記ブレンステッド酸は任意の有機酸及び／又は無機酸から選択され、前記ルイス酸は任意のカチオン性の一価又は多価原子から選択され、
−カチオン性バイオポリマーとアニオン性バイオポリマーとの重量比は、１：０．１から１：２０であり、
−前記カチオン性バイオポリマーと酸との重量比は１：０．０１から１：３０であり、
−ｐＨは７未満であり、
前記組成物は１種以上の脂肪化合物を更に含み、ＰＥＣ：脂肪化合物の重量比が１：０．５から１：１である、ＰＥＣ組成物。
【請求項９】
前記１種以上の脂肪化合物が、天然油、合成油、液体ワックス、液体樹脂、脂肪酸、脂肪アルコール、脂肪シラン、脂肪シロキサン、脂肪アミン、脂肪アミド、脂肪エポキシド、脂肪イミン、脂肪アルデヒド、脂肪イミド、脂肪チオール、脂肪硫酸、脂肪エステル、脂肪ケトン、他の種類の脂質で構成される群から互いに独立して選択される、請求項８に記載のＰＥＣ組成物。
【請求項１０】
前記１種以上の脂肪化合物が、天然油、液体ワックス及び／又は脂肪酸並びにそれらの混合物から選択される、請求項８に記載のＰＥＣ組成物。
【請求項１１】
前記アニオン性バイオポリマーが、リグニンアルカリ、リグノスルホン酸、及び多糖類で構成される群から選択され、前記アニオン性ポリマーの濃度は０．００５〜３０％である、請求項８〜１０のいずれか１項に記載のＰＥＣ組成物。
【請求項１２】
前記アニオン性バイオポリマーが、カルボキシメチルセルロース（ＣＭＣ）、アルギン酸、ペクチン、カラギーナン、アラビアゴム、及びナノ結晶セルロース（ＮＣＣ）で構成される群から選択される、請求項８〜１０のいずれか１項に記載のＰＥＣ組成物。
【請求項１３】
前記アニオン性ポリマーが、カルボキシメチルセルロース、アルギン酸、リグニンアルカリ、ＮＣＣ、及びアラビアゴムで構成される群から選択される、請求項８〜１０のいずれか１項に記載のＰＥＣ組成物。
【請求項１４】
前記アニオン性ポリマーがカルボキシメチルセルロースである、請求項８〜１０のいずれか１項に記載のＰＥＣ組成物。
【請求項１５】
前記アルギン酸及びリグノスルホン酸はそれらのナトリウム塩として存在する、請求項１１又は１２に記載のＰＥＣ組成物。
【請求項１６】
前記酸の濃度が０．０１〜３０重量％であり、前記酸は、酢酸、アセチルサリチル酸、アジピン酸、ベンゼンスルホン酸、樟脳スルホン酸、クエン酸、ジヒドロキシフマル酸、ギ酸、グリコール酸、グリオキシル酸、塩酸、乳酸、リンゴ酸、マロン酸、マレイン酸、マンデル酸、シュウ酸、パラ−トルエンスルホン酸、フタル酸、ピルビン酸、サリチル酸、硫酸、酒石酸、及びコハク酸で構成される群から選択される、請求項８〜１５のいずれか１項に記載のＰＥＣ組成物。
【請求項１７】
前記酸は、クエン酸、シュウ酸、及び酒石酸で構成される群から選択される、請求項８〜１５のいずれか１項に記載のＰＥＣ組成物。
【請求項１８】
前記酸はクエン酸である、請求項８〜１５のいずれか１項に記載のＰＥＣ組成物。
【請求項１９】
前記酸は、クエン酸一水和物である、請求項８〜１５のいずれか１項に記載のＰＥＣ組成物。
【請求項２０】
前記ＰＥＣ組成物が水を更に含み、前記水が水道水、蒸留水、及び／又は脱イオン水から選択される、請求項８〜１９のいずれか１項に記載のＰＥＣ組成物。
【請求項２１】
前記ｐＨが１．８〜４の範囲内である、請求項８〜２０のいずれか１項に記載のＰＥＣ組成物。
【請求項２２】
少なくとも０．０４重量％のＰＥＣを含む、請求項８〜２１のいずれか１項に記載のＰＥＣ組成物。
【請求項２３】
前記アニオン性バイオポリマーの濃度が０．００５〜３０重量％である、請求項８〜２２のいずれか一項に記載のＰＥＣ組成物。
【請求項２４】
キトサンの濃度が０．００５〜３０重量％である、請求項８〜２３のいずれか１項に記載のＰＥＣ組成物。
【請求項２５】
前記酸の濃度が０．０１〜３０重量％である、請求項８〜２４のいずれか１項に記載のＰＥＣ組成物。
【請求項２６】
前記組成物が、非水溶性可塑剤、水溶性可塑剤、消泡剤、発泡剤、湿潤剤、合体剤、触媒、界面活性剤、乳化剤、保存剤、架橋剤、レオロジー調整剤、充填剤、非イオン性ポリマー、染料、顔料で構成される群から選択される１種以上の添加剤を含み、前記添加剤の濃度が、０〜９９重量％である、請求項８〜２５のいずれか１項に記載のＰＥＣ組成物。
【請求項２７】
前記防腐剤が、防カビ剤、殺菌剤、医薬用防腐剤、化粧品用防腐剤、及び／又は食品用防腐剤から選択され、前記食品用防腐剤は、安息香酸、安息香酸ナトリウム、ヒドロキシ安息香酸及びそれらの派生物、乳酸、プロピオン酸及びプロピオン酸ナトリウム、二酸化硫黄及びスルフィット、ソルビン酸及びソルビン酸ナトリウム、アスコルビン酸、アスコルビン酸ナトリウム、ブチルヒドロキシトルエン、ブチルヒドロキシアニソール、没食子酸及び没食子酸ナトリウム、並びにトコフェロールから選択され、防カビ剤又は殺菌剤は１，２−ベンズイソチアゾリン−３−オンから選択され、化粧品用防腐剤は２−メチル−４−イソチアゾリン−３−オンから選択され、医薬用防腐剤は２−ブロモ−２−ニトロ−１，３−プロパンジオールから選択される、請求項８〜２６のいずれか１項に記載のＰＥＣ組成物。
【請求項２８】
前記ＰＥＣ組成物が、０．００５〜１０重量％の防腐剤を含む、請求項８〜２７のいずれか１項に記載のＰＥＣ組成物。
【請求項２９】
前記非水溶性可塑剤が天然系である、請求項８〜２８のいずれか１項に記載のＰＥＣ組成物。
【請求項３０】
前記非水溶性可塑剤が、イソソルビドエステル、イソソルビドジエステル、菜種メチルエステル、オリゴマーエステルアミド、及びそれらの混合物で構成される群から選択される、請求項８〜２８のいずれか１項に記載のＰＥＣ組成物。